(57)【特許請求の範囲】
【請求項１】
車両の停車を検出する停車検出手段と、
セレクトレバーがパーキングレンジ以外のレンジにセットされているか否かを判定するポジション判定手段と、
電源モードがアクセサリモードか否かを判定する電源モード判定手段と、
電子キーを携帯するユーザの降車を検出する降車検出手段と、
前記降車検出手段で降車を検出した前記ユーザの位置を認識する位置認識手段と、
警報音を発する警報出力部を駆動する警報駆動手段と、
前記警報出力部を所定回転角だけ回転させるモータと、
前記停車検出手段で前記車両の停車を検出し、且つ前記ポジション判定手段で前記セレクトレバーがパーキングレンジ以外のレンジにセットされていると判定され、且つ前記電源モード判定手段で前記電源モードがアクセサリモードであると判定され、且つ前記降車検出手段で前記ユーザの降車を検出した場合、前記警報駆動手段を駆動させると共に、前記モータを駆動させて前記位置認識手段で認識した前記ユーザの位置方向へ前記警報出力部を指向させる警告表示処理手段と
を備えることを特徴とする車両用電子キーシステムの降車警告装置。
【請求項２】
前記警告表示処理手段は、前記位置認識手段で認識した前記ユーザの位置と、前記警報出力部との離間距離に応じて該警報出力部から出力される警報音の音圧と周波数と音パターンとの少なくとも一つを、前記音圧は前記離間距離が長くなるに従い大きく設定し、前記周波数は前記離間距離が長くなるに従い高く設定し、前記音パターンは前記離間距離が長くなるに従い連続的な吹鳴音に設定することを特徴とする請求項１記載の車両用電子キーシステムの降車警告装置。
【請求項３】
オーディオ音量を制御する音量制御手段を更に有し、
前記音量制御手段は、前記警告表示処理手段が前記警報駆動手段を駆動させる際に前記警報出力部から出力する警報音圧と前記オーディオ音量とを比較し、該オーディオ音量が高い場合、該オーディオ音量と前記警報音圧との差分に応じて該オーディオ音量を低下させる
ことを特徴とする請求項１或いは２に記載の車両用電子キーシステムの降車警告装置。
【発明の詳細な説明】
【技術分野】
【０００１】
本発明は、電子キーを携帯するユーザが、電源モードをアクセサリモードにした状態で車両から離間した際に、ユーザに向けて警告を発する車両用電子キーシステムの降車警告装置に関する。
【背景技術】
【０００２】
従来、電子キーシステムを搭載する車両は、電子キーを携帯するユーザ（多くの場合は運転者であるため、以下においては「運転者」と称する）が乗車した後、キー操作を一々行うことなく、プッシュエンジンスイッチ（スタートスイッチ）を押圧するだけで、電源ＯＮやエンジン始動を行うことができる。
【０００３】
エンジン始動に際しては、運転者がセレクトレバーをパーキング（Ｐ）レンジ或いはニュートラル（Ｎ）レンジにセットした状態で、ブレーキペダルを踏込み、プッシュエンジンスイッチを押圧する。すると、スタータモータが所定時間稼動し、エンジンが始動する。
【０００４】
又、セレクトレバーがＰレンジにセットされており、且つ、ブレーキペダル未踏の状態で、プッシュエンジンスイッチを押圧すると、押圧する毎に車両の電源モードが、ＯＦＦモード→アクセサリ（ＡＣＣ）モード→ＯＮ（ＩＧＮ）モードの順に切換えられる。更に、セレクトレバーをＰレンジ以外のレンジにセットした状態でプッシュエンジンスイッチを押圧すると、電源モードがＯＮ（Ｅ／Ｇ ＲＵＮ）モードからＡＣＣモードに切換えられる。
【０００５】
ＡＣＣモードでは、エンジンは停止するが、特定の電装品（オーディオ、電源ソケット、カーナビゲーション等）にはバッテリ電源が供給される。
【０００６】
通常、電源モードがＡＣＣモードの場合、コンビネーションメータはバッテリ消耗を抑制するため消灯されており、従って、運転者は、電源モードがＯＦＦモードに切り替わっていると勘違いし易い。特に、電子キーシステムは、電源モードがＡＣＣモードであっても、運転者は電子キーを携帯した状態でたやすく降車することができるため、電源モードがＯＦＦモードに切り替わっていると勘違いしている場合、気づかずに車両から離れてしまいやすい。
【０００７】
電源モードがＡＣＣモードの状態では、ステアリングロックがアンロック状態であるため、無人で動き出したり、盗難に遭いやすくなる。そのため、車両用電子キーシステムでは、電源モードがＡＣＣモードの状態であるにも拘わらず、電子キーを携帯する運転者が降車した場合には、当該運転者に対して警報を発して注意を促すようにしている。
【０００８】
しかし、運転者が運転席ドアを開けて降車し、その後、運転席ドアを閉めて車両から離間するまでの一連の動作の中で、運転者は、既に電源をＯＦＦにしたとの先入観を有しているため、自己に向けての警報であることに気づかないまま車両から離間してしまう場合がある。
【０００９】
この対策として、例えば、特許文献１（特開２００８−１６８７６２号公報）には、セレクトレバーがＰレンジ或いはＮレンジ以外のレンジにセットされており、且つプッシュエンジンスイッチがＯＮ（従って、電源モードはＡＣＣモード）されたことを電源コントロールユニットが検知した場合、計器照明を一時点灯させることで電源ＯＦＦ忘れを運転者に警告する技術が開示されている。
【先行技術文献】
【特許文献】
【００１０】
【特許文献１】特開２００８−１６８７６２号公報
【特許文献２】特開２００８−１０６５７９号公報
【発明の概要】
【発明が解決しようとする課題】
【００１１】
しかし、降車しようとする運転者は、電源をＯＦＦしたと誤認しているため、計器照明が一時点灯されてもそれに気づかない場合が多く、運転席ドアを開けて降車し、車両から離間してしまうことは、車両が一時的に無人状態となるためセキュリティ上も好ましくない。
【００１２】
そのため、例えば、特許文献２（特開２００８−１０６５７９号公報）には、携帯機（電子キー）を携帯する運転者が自車両から離間する距離を、室外アンテナで受信する携帯機から送信される電波の受信電界強度に基づいて判定し、その距離に応じて警報の音量を変更する技術が開示されている。
【００１３】
特許文献２に開示されている技術によれば、運転者の自車両からの離間距離に応じて警報音が増量されるが、交通量の多い幹線道路脇の駐車場に車両を駐車して離間する等、近郊に騒音レベルの高い外部環境がある場合は、警報音を単に運転者の自車両からの離間距離に基づいて設定しても、運転者に警報音が届き難くなる。
【００１４】
しかし、当初より外部環境の騒音を考慮して、警報音の初期値を高く設定することは、運転者に不快感を与えるばかりでなく、閑静な住宅地等では周囲に対して騒音被害を与えてしまう可能性がある。
【００１５】
本発明は、上記事情に鑑み、運転者に不快感を与えることなく、しかも周囲に対して騒音被害を与えることなく、エンジン停止後、電源モードをアクセサリモードの状態で車両から離間するユーザを検知し、電源ＯＦＦ忘れを的確に報知することのできる車両用電子キーシステムの降車警告装置を提供することを目的とする。
【課題を解決するための手段】
【００１６】
本発明による車両用電子キーシステムの降車警告装置は、車両の停車を検出する停車検出手段と、セレクトレバーがパーキングレンジ以外のレンジにセットされているか否かを判定するポジション判定手段と、電源モードがアクセサリモードか否かを判定する電源モード判定手段と、電子キーを携帯するユーザの降車を検出する降車検出手段と、前記降車検出手段で降車を検出した前記ユーザの位置を認識する位置認識手段と、警報音を発する警報出力部を駆動する警報駆動手段と、前記警報出力部を所定回転角だけ回転させるモータと、前記停車検出手段で前記車両の停車を検出し、且つ前記ポジション判定手段で前記セレクトレバーがパーキングレンジ以外のレンジにセットされていると判定され、且つ前記電源モード判定手段で前記電源モードがアクセサリモードであると判定され、且つ前記降車検出手段で前記ユーザの降車を検出した場合、前記警報駆動手段を駆動させると共に、前記モータを駆動させて前記位置認識手段で認識した前記ユーザの位置方向へ前記警報出力部を指向させる警告表示処理手段とを備える。
【発明の効果】
【００１７】
本発明によれば、セレクトレバーがパーキングレンジ以外のレンジにセットされ、且つ電源モードがアクセサリモードに設定されている状態で、ユーザの降車を検出した場合、警報駆動部を駆動させて警報音を発すると共に、この警報出力部をユーザの位置方向へ指向させるようにしたので、車両から離間しようとするユーザに対し、電源ＯＦＦ忘れを的確に報知することができる。又、警報出力部をユーザの位置方向へ指向させるようにしたので、警報音をユーザに対して確実に伝達させることができ、従って、ユーザに不快感を与えることがなく、しかも、周囲に対して騒音被害を及ぼすことも防止することができる。
【図面の簡単な説明】
【００１８】
【図１】車載制御システムを搭載する車両の模式的平面図
【図２】車載制御ステムの概略構成図
【図３】降車警告処理ルーチンを示すフローチャート
【図４】警告表示処理サブルーチンを示すフローチャート
【図５】オーディオ音量処理サブルーチンを示すフローチャート
【図６】ＡＣＣ→ＯＦＦ処理ルーチンを示すフローチャート
【図７】降車した運転者の離間距離に応じた警報音の出力特性を示し、（ａ）は音圧テーブルの概念図、（ｂ）は周波数テーブルの概念図、（ｃ）は音パターンテーブルの概念図、（ｄ）は音パターン毎の警報特性を示す説明図
【発明を実施するための形態】
【００１９】
以下、図面に基づいて本発明の一実施形態を説明する。図１に示すように、自動車等の車両３１の車室３１ａに、運転席シート３２、助手席シート３３、後部座席３４が所定に配設され、更に、車両ドアを構成する運転席ドア３５と助手席ドア３６と後部左右ドア３７ａ，３７ｂとリヤゲート３８が開閉自在に設けられている。又、車室３１ａの前部に、コンビネーションメータ等を配設するインストルメントパネル２５が設けられ、更に、運転席シート３２と助手席シート３３との間にセンターコンソール３９が配設されて、運転席前方にハンドル２６が配設されている。
【００２０】
又、図２に示すように、この車両３１に車載制御システム１が搭載されている。この車載制御システム１は、車両用電子キーシステムを構成する電子キー制御ユニット（電子キー＿ＥＣＵ）２、エンジン制御ユニット（Ｅ／Ｇ＿ＥＣＵ）３、オーディオ制御ユニット（オーディオ＿ＥＣＵ）４、降車警告制御ユニット（降車警告＿ＥＣＵ）６等を備えている。
【００２１】
この各ＥＣＵ２〜４，６は、マイクロコンピュータを主体に構成され、周知のＣＰＵ、ＲＯＭ、ＲＡＭ、及び不揮発性メモリ等を有しており、ＲＯＭにはＣＰＵが実行する各種プログラムや固定データ等が記憶されている。又、各ＥＣＵ２〜４，６が、ＣＡＮ(Controller Area Network)通信等の車内通信回線７を通じて相互通信可能に接続されている。
【００２２】
電子キー＿ＥＣＵ２は、運転者が携帯する電子キー（携帯機）８との間で通信を行い、電子キー８のＩＤが電子キー＿ＥＣＵ２に登録されているＩＤと一致した場合、車両ドア３５，３６，３７ａ，３７ｂのロック／アンロック、エンジンの始動／停止、車載機器へのバッテリ電源ＶBTの給電が可能となる。この電子キー＿ＥＣＵ２の入力側に、電子キー８に対して、識別信号、リクエスト信号を送信すると共に、電子キー８が発信する識別信号等を受信する通信回路部９、ＯＮスイッチであるプッシュエンジンスイッチ１０等が接続されている。更に、この電子キー＿ＥＣＵ２に、降車警告＿ＥＣＵ６でブレーキペダルの踏込みを検出するブレーキ信号、及びセレクトレバーのセットポジションを検出するポジション信号がそれぞれ入力される。
【００２３】
又、通信回路部９には。電子キー８との間の信号を送受信する複数のアンテナ９ａ〜９ｅが設けられている。図１に示すように、室外サイドアンテナ９ａ，９ｂは運転席ドア３５及び助手席ドア３６の車室外側に配置され、又、室外リヤアンテナ９ｃはリヤゲート３８の車室外側に配置され、更に、室内アンテナ９ｄ，９ｅは、例えばセンターコンソール３９の前部と後部座席３４の中央とにそれぞれ配置されている。
【００２４】
又、電子キー＿ＥＣＵ２の出力側に、電源ユニット１３、スタータリレー１４のスイッチ部が接続されており、更に、このスタータリレー１４の固定接点の一方にスタータモータ１５が接続されている。又、電源ユニット１３とスタータリレー１４の固定接点の他方にバッテリ電源ＶBTが接続されている。
【００２５】
電源ユニット１３は、電子キー＿ＥＣＵ２からの電源切換信号により、バッテリ電源ＶBTを供給する電源モードを、電源ＯＦＦモード、ＡＣＣモード、電源ＯＮ（ＩＧＮ）モードの何れかに切換える。ここで、電源モードが電源ＯＦＦモードの場合はバッテリ電源に直結されている電装品以外の電装品に対するバッテリ電源ＶBTの供給が遮断され、一方、ＡＣＣモードの場合は、オーディオ機器、電源ソケット等、特定の電装品にのみバッテリ電源ＶBTが供給される。従って、電源ＯＦＦモード及びＡＣＣモードではエンジンが停止される。又、電源ＯＮモードの場合は、全ての電装品に対してバッテリ電源ＶBTが供給される。
【００２６】
この電源モードは、セレクトレバーがＰレンジにセットされている状態で、プッシュエンジンスイッチ１０をＯＮする毎に、例えば、図２に実線で示すように、電源ＯＦＦ→ＡＣＣ→電源ＯＮ（ＩＧＮ）の順に切り替わり、プッシュエンジンスイッチ１０を更にＯＮすると電源ＯＦＦに戻る。又、停車時、セレクトレバーをＰレンジ以外のレンジにセットした状態でプッシュエンジンスイッチ１０をＯＮすると、図２に破線で示すように、電源モードはＯＦＦモードに切り替わらず、ＡＣＣモードに切り替わり、エンジンが停止される。
【００２７】
尚、セレクトレバーがＰレンジ以外のレンジにセットされ、且つエンジンが停止している状態（従って、電源モードはＡＣＣモード）からエンジンンを再始動させるには、先ず、セレクトレバーをＰレンジ或いは、Ｎレンジにセットし、次いで、ブレーキペダルを踏込み、その状態で、プッシュエンジンスイッチ１０をＯＮする。すると、電子キー＿ＥＣＵ２は、電源ユニット１３の電源モードを電源ＯＮモードに切換えると共に、スタータリレー１４を所定時間ＯＮ動作させ、スタータモータ１５にバッテリ電源ＶBTを供給してエンジンを起動させる。
【００２８】
又、Ｅ／Ｇ＿ＥＣＵ３は、エンジンがスタータモータ１５によって起動されると、点火時期制御、燃料噴射制御を開始してエンジンを稼動させる。
【００２９】
又、オーディオ＿ＥＣＵ４は、電源ユニット１３の電源モードがＡＣＣ、或いは電源ＯＮに設定されている場合、運転者を含む搭乗者の操作によりＯＮされているオーディオ機器（カーステレオ、カーナビゲーション等）を総合的に制御し、又、搭乗者の設定した音量の音声をスピーカ１９から出力させる。尚、電子キー８を携帯する運転者が電源モードのＯＦＦを忘れ、ＡＣＣモードの状態で降車した場合に警報が発せられるが、その際、オーディオ音量が警報音圧よりも高い場合は、オーディオ音量が所定レベルまで低下させられる。
【００３０】
又、降車警告＿ＥＣＵ６は、入力側にブレーキペダルの踏込みを検出してＯＮ信号を出力するブレーキスイッチ１１、セレクトレバーのセット位置を検出するセレクトポジションセンサ１２、車速を検出する車速センサ１６、降車検出デバイス２０、降車した運転者の位置情報を取得する、位置認識手段としての運転者探知デバイス２７、前方認識カメラ４１等が接続されている。更に、この降車警告＿ＥＣＵ６には電子キー＿ＥＣＵ９で検出した電子キー８からの電界強度データが入力される。
【００３１】
降車検出デバイス２０は、運転者が降車しようとする際の動作を検出するもので、具体的には、シートベルトを外すとＯＮ動作する運転席シートベルトスイッチ、運転席ドア３５の内側ドアノブに併設されて、運転者が内側ドアノブに接触したことを検出する静電センサやタッチセンサ等の接触センサ、運転席ドア３５の開放でＯＮ動作するドアスイッチ等の内の１つ、或いはそれらの組み合わせで構成されている。
【００３２】
又、運転者探知デバイス２７は、車両３１から降車しようとする運転者の位置情報（後述する指向性吹鳴デバイス２３からの離間距離、及び方向）を取得するもので、運転者からの反射波を受波して位置情報を取得するレーザ、ソナー等の反射波センサ、撮影した画像から運転者を認識し位置情報を取得する車内カメラや車外カメラ等がある。
【００３３】
ところで、図１に示すように、運転者の降車を検出するタイミングは、大きく分けて、車室３１ａで降車のための準備をしている初期段階I、運転席ドア３５を開放して降車中にある過渡段階II、運転席ドア３５を閉じて車外に降り立った降車段階III、及び車両３１から離間する離間段階IVの４段階がある。どの段階で、或いは複数の段階のどれを組み合わせて、電子キー８を携帯する運転者の降車を検出するかは車種毎に相違する。
【００３４】
例えば、初期段階I、及び過渡段階IIで降車しようとする運転者の位置情報を取得しようとする際に採用する運転者探知デバイス２７として代表的なものは、車内に配設されて運転席シート３２に着座している運転者の頭部等の特徴部分を認識する車内カメラや車内反射波センサ、或いは電子キー８からの電波を室内アンテナ９ｄで受信した際の電界強度の変化等が掲げられる。その際、運転者が電子キー８を携帯しているか否かは、電子キー８からの電波を各アンテナ９ａ〜９ｅ（主に、室内アンテナ９ｄ）で受信した際の電界強度の変化に基づいて判定する。
【００３５】
又、降車段階III、及び離間段階IVで降車した運転者の降車位置を取得する際に採用する運転者探知デバイス２７として代表的なものは、車外に配設されて降車した運転者の頭部等の特徴部分を認識する車外カメラや車外反射波センサ等がある。又、少なくとも降車段階IIIでの運転者の位置情報は、各室外サイドアンテナ９ａで受信した電子キー８からの電波の受信電界強度の変化に基づいて取得することもできる。この場合においても、運転者が電子キー８を携帯しているか否かは、電子キー８からの電波を各アンテナ９ａ〜９ｅ（主に、室外サイドアンテナ９ａ，９ｂ）で受信した際の電界強度の変化に基づいて判定する。
【００３６】
尚、離間段階IVは、車室３１ａの前部に設けられて自車両前方を認識するメインカメラ４１ａとサブカメラ４１ｂとからなる前方認識カメラ（ステレオカメラ）４１で撮影した画像からも取得することができる。よって、この前方認識カメラ４１も、運転者探知デバイス２７として機能させることができる。
【００３７】
従って、採用する運転者探知デバイス２７は、降車する運転者の位置情報を各段階I〜IVの何れで取得するかによって相違するため、車種毎に決定される。
【００３８】
一方、降車警告＿ＥＣＵ６の出力側に、インストルメントパネル２５等に配設されて、種々の情報を表示するマルチインフォメーションディスプレイ（ＭＩＤ）２１、及び警報駆動手段としての警報駆動部２２が接続されている。更に、この警報駆動部２２に警報出力部である指向性を有するスピーカ、ホーン等の指向性吹鳴デバイス２３と、電動モータ２３ａとが接続されている。
【００３９】
指向性吹鳴デバイス２３は、運転者に対して警報を報知するもので、警報駆動部２２からの駆動信号により、警報音の音圧、周波数、及び吹鳴音のパターンが可変設定される。更に、この指向性吹鳴デバイス２３が回転台２３ｂに載置されており、この回転台２３ｂの回転角が、警報駆動部２２からの駆動信号で回転する電動モータ２３ａにて制御される。
【００４０】
指向性吹鳴デバイス２３は回転台２３ｂの回転により警報音を運転者に向けて吹鳴するように設定されている。上述したように、運転者の降車を検出するタイミングは、初期段階I、過渡段階II、降車段階III、離間段階IVの４段階あり、どの段階で、或いは各段階のどれを組み合わせて、電子キー８を携帯する運転者の降車を検出するかは車種毎に相違する。従って、警報駆動部２２による指向性吹鳴デバイス２３、及び電動モータ２３ａの起動タイミングは運転者の降車を検出する段階I〜IVに応じて設定されて運転者に向けて吹鳴される。
【００４１】
ところで、停車時のセレクトレバーがＰレンジ以外のレンジにセットされている状態で、プッシュエンジンスイッチ１０を押圧（ＯＮ）させた場合、電子キー＿ＥＣＵ２は、電源ユニット１３の電源モードをＡＣＣモードに切換える。
【００４２】
電源モードがＡＣＣモードに切換えられると、コンビネーションメータが消灯するため、電源モードがＯＦＦモードに切り替わったと勘違いし、運転者はそのまま降車し、車両３１から離間してしまい易い。一般に、このような状態で運転者が運転席側ドアを開放して降車しようとすると警告音が発せられるが、運転者は降車動作中であり、しかも、電源モードがＯＦＦモードであるとの先入観を抱いているため、警告音に気づかずに降車してしまう場合がある。特に、外部環境音が大きい場合、警報音が掻き消され易い。
【００４３】
降車警告＿ＥＣＵ６は、電源モードがＡＣＣモードの状態で、電子キー８を携帯している運転者の降車を検出した場合、警告を報知して注意を喚起する。この降車警告＿ＥＣＵ６で実行される警告報知は、具体的には、図３に示す降車警告処理ルーチンに従って処理される。
【００４４】
このルーチンでは、先ず、ステップＳ１で車両が停車するまで待機する。車両が停車したか否かは、本実施形態では、ブレーキスイッチ１１及び車速センサ１６からの信号に基づき、ブレーキスイッチ１１からブレーキＯＮ信号が出力され、且つ、車速センサ１６で検出した車速が予め設定した停車判定車速（例えば、１５[Km/h]）以下のときは停車と判定する。そして、停車と判定した場合はステップＳ２へ進み、走行中と判定した場合はルーチンを抜ける。尚、このステップＳ１での処理が、本発明の停車検出手段に対応している。
【００４５】
ステップＳ２へ進むと、セレクトポジションセンサ１２で検出したセレクトレバーのセット位置を検出して、セレクトレバーがＰレンジ以外のレンジにセットされているか否かを調べる。セレクトレバーがＰレンジにセットされている場合はそのままルーチンを抜け、又、Ｐレンジ以外のレンジにセットされている場合はステップＳ３へ進む。尚、このステップＳ２での処理が、本発明のポジション判定手段に対応している。
【００４６】
ステップＳ３では、電子キー＿ＥＣＵ２で設定される電源モードを読込み、電源モードがＡＣＣモードか否かを調べ、ＡＣＣモードの場合はステップＳ４へ進み、ＯＮモードの場合、すなわち、停車後、プッシュエンジンスイッチ１０が押圧（ＯＮ）されておらずエンジン稼働中の場合は、そのままルーチンを抜ける。尚、このステップＳ３での処理が、本発明の電源モード判定手段に対応している。
【００４７】
電子キー＿ＥＣＵ２では、停車時のセレクトレバーがＰレンジ以外のレンジにセットされている状態で、プッシュエンジンスイッチ１０がＯＮされた場合、電源モードをＡＣＣモードに切換える。その結果、エンジンは停止し、又、バッテリ電源ＶBTは特定の電装品にのみ供給され、コンビネーションメータは消灯される。
【００４８】
その後、ステップＳ４へ進むと、電子キー８が移動しているか否かを調べる。電子キー８が移動しているか否かは、室内アンテナ９ｄ，９ｅで受信した電子キー８からの信号の電界強度（受信電界強度）の変化に基づいて調べる。例えば、運転者が降車するに際し必ずしも電子キー８を携帯しているとは限らず、後部左右ドア３７ａ，３７ｂやリヤゲート３８を開放して荷物の出し入れを行う等、車室３１ａに電子キー８を残置した状態で一時的に降車する場合も考えられる。
【００４９】
そして、電子キー８の移動、すなわち、電子キー８を携帯する運転者が運転席シート３２から移動していると判定された場合はステップＳ５へ進み、電子キー８の移動が検出されない場合は、そのままルーチンを抜ける。ステップＳ５へ進むと、電子キー８を携帯する運転者が降車するか否かを降車検出デバイス２０からの信号に基づいて判定する。尚、このステップでの処理が、本発明の降車検出手段に対応している。
【００５０】
降車検出デバイス２０としては、運転席シートベルトスイッチ、運転席ドア３５の内側ドアノブに併設されている接触センサ、運転席ドア３５のドアスイッチ等がある。そして、車両３１が停車後、運転席シートベルトスイッチがＯＮ動作し、或いは接触センサにて運転席ドア３５の内側ドアノブに運転者が接触したことを検知し、或いは運転席ドア３５のドアスイッチがＯＮしたとき、降車と判定する。
【００５１】
そして、運転者の降車が検出されない場合はルーチンを抜け、又、降車が検出された場合はステップＳ６へ進む。ステップＳ６へ進むと、運転者探知デバイス２７からの情報に基づき、降車する運転者の位置情報（指向性吹鳴デバイス２３からの離間距離、及び方向）を取得する。降車する運転者を取得するタイミングは、初期段階I、過渡段階II、降車段階III、離間段階IVの４段階があり、何れの段階で降車する運転者を認識するかは車種毎に相違し、採用する運転者探知デバイス２７も各段階I〜IVで相違する。
【００５２】
例えば、初期段階I、過渡段階IIで、降車する運転者を認識する際に採用する運転者探知デバイス２７は、車内カメラや車内に設けた反射波センサ、或いは電子キー８からの電波を室内アンテナ９ｄで受信した際の電界強度の変化等である。又、降車段階III、離間段階IVで、降車する運転者を認識する際に採用する運転者探知デバイス２７は、車外カメラや車外に設けた反射波センサ、或いは電子キー８からの電波を室外サイドアンテナ９ａ，９ｂで受信した際の電界強度の変化等である。
【００５３】
上述した各段階I〜IVの何れかにおいて、採用されている運転者探知デバイス２７からの情報を読込み、指向性吹鳴デバイス２３から運転者までの離間距離、及び方向からなる位置情報を取得する。そして、ステップＳ７へ進み、警告表示処理を実行してステップＳ８へ進む。
【００５４】
この警告表示処理は、図４に示す警告表示処理サブルーチンに従って実行される。尚、このサブルーチンでの処理が、本発明の警告表示処理手段に対応している。
【００５５】
このサブルーチンでは、先ず、ステップＳ２１で電源モードがＡＣＣモード、すなわち、電源ＯＦＦ忘れであることを知らせる旨の警告表示（画像、文字等）をＭＩＤ２１に出力して、ステップＳ２２へ進む。
【００５６】
ステップＳ２２では、前述したステップＳ６で求めた運転者位置情報（運転者までの距離、及び方向）を読込み、続く、ステップＳ２３で、この運転者位置情報に基づき、運転者が認識されているか否かを調べる。そして、運転者が認識されていない場合はそのままルーチンを抜けて、図３のステップＳ８へ進む。
【００５７】
一方、運転者が認識されている場合は、ステップＳ２４へ進み、降車警告＿ＥＣＵ６から警報駆動部２２に対し運転者の方向を示す回転角信号を出力する。すると、警報駆動部２２は回転角信号に対応する駆動信号を電動モータ２３ａへ出力し、この電動モータ２３ａにて回転台２３ｂを回転させて、載置されている指向性吹鳴デバイス２３を運転者の位置に向けてセットする（図２参照）。
【００５８】
その後、ステップＳ２５へ進み、運転者の位置情報である指向性吹鳴デバイス２３と運転者との離間距離に基づき、指向性吹鳴デバイス２３から出力する警報音の音圧レベル、周波数、及び吹鳴音の音パターンを、図７（ａ）に示す音圧テーブル、同図（ｂ）に示す周波数テーブル、及び同図（ｃ）に示す音パターンテーブルを参照して設定する。
【００５９】
各テーブルは、離間距離をＬ０〜Ｌ１，Ｌ１〜Ｌ２，Ｌ２以上の３段階に区分されており、音圧テーブルは音圧レベルが、離間距離が長くなるに従って大きくして遠方まで届くように小、中、大に設定され、又、周波数テーブルは周波数が、離間距離が長くなるに従って減衰することを考慮して低、中、高に設定されている。
【００６０】
更に、音パターンテーブルは、離間距離が長くなるに従い緊急性を強調する音パターン１〜３に設定されている。すなわち、同図（ｄ）に示すように、緊急性の度合いに応じて音パターン１はビッピッ・ピッピ…と間欠的な吹鳴音が設定され、音パターン２はピッピッピッ…と一定間隔の吹鳴音が設定され、又、音パターン３はピーという連続的な吹鳴音に設定されている。尚、音圧テーブルに記憶されている音圧レベル、及び周波数テーブルに記憶されている周波数は、降車する運転者の位置を何れの段階I〜IVで検出するかによって相違する。
【００６１】
その後、ステップＳ２６へ進み、ステップＳ２５で設定した音圧レベル、周波数、及び音パターンに対応する警報信号を警報駆動部２２へ出力して、降車警告処理ルーチンのステップＳ８へ進む。その結果、警報駆動部２２から指向性吹鳴デバイス２３に対して、警報信号に対応する駆動信号が出力され、この指向性吹鳴デバイス２３から運転者に向けて発せられる警報音によって電源モードのＯＦＦ忘れを警告する。
【００６２】
その際、指向性吹鳴デバイス２３から出力される警報音の音圧、周波数、音パターンが、運転者との離間距離に応じて設定されるため、運転者に対し、自己への警告であることを明瞭に気づかせることができる。又、指向性吹鳴デバイス２３が運転者に指向されているため、大音量で警告する必要がなく、従って、運転者に対して不快感を与えることがないばかりでなく、周囲に対して騒音被害を与えることもない。尚、警報音は音圧レベル、周波数、音パターンの少なくともひとつを離間距離に応じて可変設定するようにしても良い。
【００６３】
そして、運転者が車両３１から発せられている警告音であると気づいて、車両３１へ戻り、ＭＩＤ２１の表示内容を確認させることで、電源モードのＯＦＦ忘れを認識させることができる。
【００６４】
又、図３のステップＳ８へ進むと、オーディオ音量処理を実行してステップＳ９へ進む。このオーディオ音量処理は、オーディオ機器の音量が指向性吹鳴デバイス２３の音量よりも大きい場合、オーディオ機器の音量を低下させて警報音がオーディオ音により掻き消されてしまうことを防止するものであり、図５に示すオーディオ音量処理サブルーチンに従って実行される。尚、このサブルーチンでの処理が本発明の音量制御手段に対応している。
【００６５】
このサブルーチンでは、先ず、ステップＳ３１で、上述した警告表示処理サブルーチンで設定した指向性吹鳴デバイス２３から発せられる警告音の音圧[dB]を読込み、続く、ステップＳ３２で、オーディオ＿ＥＣＵ４で設定されているオーディオ音量[dB]を読込む。そして、ステップＳ３３で、警告音の音圧[dB]とオーディオ音量[dB]とを比較し、警報音圧≦オーディオ音量の場合、ステップＳ３４へ進み、又、警報音圧＜オーディオ音量の場合は、降車警告処理ルーチンのステップＳ９へ進む。
【００６６】
ステップＳ３４へ進むと、オーディオ音量[dB]と警報音圧[dB]との差に基づき、オーディオ音量の下げ幅[dB]を演算する。
【００６７】
下げ幅[dB]＝ｋ・（オーディオ音量[dB]−警報音圧[dB]）
ここで、ｋは係数、但し、ｋ＞１である。
【００６８】
その後、ステップＳ３５へ進み、オーディオ音量[dB]を下げ幅[dB] 分だけ低下させる指令をオーディオ＿ＥＣＵ４へ送信し、オーディオ音量を低下させて、ステップＳ３６へ進む。
【００６９】
ステップＳ３６では、オーディオ音量（ボリューム）が手動操作されたか否かを調べ、手動操作された場合は、ステップＳ３３へ戻り、再度、警告音の音圧[dB]とオーディオ音量[dB]とを比較する。その結果、例えば、助手席に着座している子供等がオーディオ音量を大きくしたとしても、直ちに低下されるため、警告音がオーディオ音によって掻き消されることはない。
【００７０】
一方、オーディオ音量が手動操作されていない場合は、降車警告処理ルーチンのステップＳ９へ進む。
【００７１】
図３のステップＳ９へ進むと、警告停止条件を識別する。この警告停止条件は、運転者が運転席シート３２に着座したことを検出した場合、条件成立と判定する。運転者が運転席シート３２に着座したか否かは、例えば着座センサからのＯＮ信号が出力されているか否か、或いは車内カメラや車内反射波センサで運転者がハンドル２６に正対しているか否かを識別することで判定する。或いはセンターコンソール３９に配設されている室内アンテナ９ｄで受信した電界強度が所定値以上の場合、運転者が運転席シート３２に着座したと判定するようにしても良い。
【００７２】
そして、停止条件成立と判定した場合、ステップＳ１０からステップＳ１１へ進み、又、停止条件が不成立の場合はステップＳ６へ戻り、警告表示処理を継続させる。ステップＳ１１へ進むと、警告表示を停止させてルーチンを抜ける。警告表示が停止されると、ＭＩＤ２１の警告表示、及び指向性吹鳴デバイス２３からの吹鳴音が停止される。
【００７３】
又、電子キー＿ＥＣＵ２は、降車警告＿ＥＣＵ６でセレクトレバーがＰレンジ以外にセットされていると判定し、且つ、電源モードがＡＣＣモードにセットされている場合、図６に示すＡＣＣ→ＯＦＦ処理ルーチンが起動される。
【００７４】
このルーチンでは、先ず、ステップＳ４１で、図示しないパーキングブレーキスイッチが動作するまで待機する。そして、運転者がパーキングブレーキレバーを操作してパーキングブレーキスイッチをＯＮすると、プログラムはステップＳ４２へ進み、セレクトレバーがＰレンジにセットされるまで待機する。
【００７５】
そして、セレクトポジションセンサ１２の検出信号からセレクトレバーがＰレンジにセットされたと判定した場合、ステップＳ４３へ進み、プッシュエンジンスイッチ１０がＯＮされるまで待機する。
【００７６】
その後、プッシュエンジンスイッチ１０からのＯＮ信号を検出した場合、ステップＳ４４へ進み、電源モードをＯＦＦモードに切換えて、ルーチンを終了する。
【００７７】
このように、本実施形態では、運転者がセレクトレバーをＰレンジ以外のレンジにセットした状態で、プッシュエンジンスイッチ１０を押圧（ＯＮ）してエンジンを停止させた後、運転者が降車しようとし、或いは降車した場合、運転者と指向性吹鳴デバイス２３との間の離間距離に応じて、警報音の音圧、周波数、及び音パターンの少なくとも１つを可変設定するようにしたので運転者に対して電源モードのＯＦＦ忘れを的確に報知させることができる。
【００７８】
更に、指向性吹鳴デバイス２３からの警告音は、運転者に向けて吹鳴されるため、大音量で警告する必要がなく、運転者に対して不快感を与えることがないばかりでなく、周囲に対して騒音被害を与えることもない。
【００７９】
尚、本発明は、上述した実施形態に限るものではなく、例えば、指向性吹鳴デバイス２３から出力される警報音を、運転者が電源モードをＯＦＦモードに切換える操作を行う前に、スイッチ操作により解除できるようにしても良い。
【符号の説明】
【００８０】
１…車載制御システム、
２…電子キー制御ユニット、
３…エンジン制御ユニット、
４…オーディオ制御ユニット、
６…降車警告制御ユニット、
７…車内通信回線、
８…電子キー、
９…通信回路部、
９ａ，９ｂ…室外サイドアンテナ、
９ｃ…室外リヤアンテナ、
９ｄ，９ｅ…室内アンテナ、
１０…プッシュエンジンスイッチ、
１１…ブレーキスイッチ、
１２…セレクトポジションセンサ、
１３…電源ユニット、
１４…スタータリレー、
１５…スタータモータ、
１６…車速センサ、
１９…スピーカ、
２０…降車検出デバイス、
２１…マルチインフォメーションディスプレイ、
２２…警報駆動部、
２３…指向性吹鳴デバイス、
２３ａ…電動モータ、
２３ｂ…回転台、
２５…インストルメントパネル、
２６…ハンドル、
２７…運転者探知デバイス、
３１…車両、
３１ａ…車室、
３２…運転席シート、
３３…助手席シート、
３４…後部座席、
３５…運転席ドア、
３６…助手席ドア、
３７ａ，３７ｂ…後部左右ドア、
３８…リヤゲート、
３９…センターコンソール、
４１…前方認識カメラ、
４１ａ…メインカメラ、
４１ｂ…サブカメラ、
Ｉ…初期段階、
II…過渡段階、
III…降車段階、
IV…離間段階、
ＶBT…バッテリ電源
【図１】
0006564280.tif 000002
【図２】
0006564280.tif 000003
【図３】
0006564280.tif 000004
【図４】
0006564280.tif 000005
【図５】
0006564280.tif 000006
【図６】
0006564280.tif 000007
【図７】
0006564280.tif 000008